(57)【要約】      （修正有）【課題】茶液室内に密室現象を形成せずに茶液を順調、スピーディーに茶液室内に排出する排気型ティーメーカーを提供する。【解決手段】排気型ティーメーカーは、ティーメーカー本体１０、バルブロッド装置２０、フィルタネット装置３０及び排気管４０を包含する。ティーメーカー本体内が間隔部により区画されて浸漬室１１と茶液室１２が形成され、並びに該間隔部位置に、上下の貫通孔と連通するロッド受け溝が形成され、排気管が組み合わされて浸漬室と茶液室に連通する管挿入座が設けられる。ロッド受け溝内に挿入されたバルブロッド装置を、バルブロッド装置の貫通孔を上下の貫通孔と整合させるか或いは位置をずらせる回転操作により、簡単に浸漬室内の茶液を茶液室内に排出するか逆流阻止する。【選択図】図１
0003177960.tif 000002
【実用新案登録請求の範囲】
【請求項１】
排気型ティーメーカーにおいて、ティーメーカー本体、バルブロッド装置、フィルタネット装置及び排気管を包含し、
該ティーメーカー本体の上下端の開口に取り外し可能な上蓋と下蓋が閉じ合わされ、ティーメーカー本体内の上下部に浸漬室と茶液室が形成され、且つ該浸漬室と該茶液室の間は間隔部で区画され、該間隔部の下端に、外界に連通するロッド受け溝が設けられ、側辺に管挿入座が設けられ、該ロッド受け溝の上下部にそれぞれ該浸漬室と該茶液室に連通する少なくとも一つの上貫通孔と下貫通孔が設けられ、且つ外界に連通する溝口端に取り付け溝孔が形成され、該管挿入座の浸漬室端に管挿入溝孔が設けられ、茶液室端に、該管挿入溝孔に連通し、複数の通気孔を具えたビーズ収容室が設けられ、該ビーズ収容室にビーズが収容され、
該バルブロッド装置は、その主ロッド体が回転可能な該ロッド受け溝内に挿入され、操作部端は該ロッド受け溝外に延伸され、該取り付け溝孔部分は回転つまみと結合され、且つ該主ロッド体上に該ロッド受け溝の上貫通孔と下貫通孔に対応して少なくとも一つの貫通孔が設けられ、
該フィルタネット装置は、該浸漬室内部底端に設けられて、該間隔部に係止されて茶滓を濾過するのに用いられ、該管挿入座の管挿入溝孔に対応して管通し孔が設けられ、
該排気管は該浸漬室内にあって、その一端が該フィルタネット装置の管通し孔をとおり該管挿入座の管挿入溝孔に組み合わされ、且つ管体内にビーズ止水部が設けられたことを特徴とする、排気型ティーメーカー。
【請求項２】
請求項１記載の排気型ティーメーカーにおいて、該バルブロッド装置の主ロッド体端は該ロッド受け溝内に挿入され、操作部端は該取り付け溝孔より延伸されて回転つまみと結合され、該操作部にさらに雄ネジを具えたナットが組み合わされ、且つ該ナットにシールリングが組み合わされて該取り付け溝孔内に螺合され、溝孔蓋が該取り付け溝孔の溝口外部に固定されることを特徴とする、排気型ティーメーカー。
【請求項３】
請求項１記載の排気型ティーメーカーにおいて、該ティーメーカー本体の取り付け溝孔の外部のティーメーカー本体表面に凹環溝があり、該凹環溝の取り付け溝孔近い部分に複数の凸柱が設けられ、止滑ソフトスリーブは、その凹環溝の凸柱に対応して複数の係止孔が設けられ、並びに係止孔が凸柱に係合されて、止滑ソフトスリーブが凹環溝に嵌合固定されることを特徴とする、排気型ティーメーカー。
【請求項４】
請求項３記載の排気型ティーメーカーにおいて、該止滑ソフトスリーブの表面にさらに複数の止滑顆粒が設けられたことを特徴とする、排気型ティーメーカー。
【考案の詳細な説明】
【技術分野】
【０００１】
本考案は簡単操作で使用でき、茶液室に排気による密室を形成せず、浸漬室の茶液をより順調に、よりスピーディーに茶液室内に排出して保存或いは使用に供する排気型ティーメーカーに関する。
【背景技術】
【０００２】
茶を入れる時は、茶葉の浸漬時間が長すぎて味に影響が出るのを防ぐため、一般にはティーポットで茶葉を適時浸漬させた後、茶液をサーバーカップに移しかえてから、各人のカップに注いで飲用に供する。周知の非常に多くの種類のティーポットは、茶液をサーバーカップに注ぐのに便利な設計であるが、茶を入れる時に、いくつもの茶器を使用するのは、外出時に茶を入れたい人にとっては、面倒であり、不便である。
【０００３】
特許文献１には、浸漬カップ内の茶液を簡単操作でティーポット内に放出し保存して使用できる構造が記載され、茶を入れる時に、多くの茶器を使用する必要がなく、外出時に茶を入れる便利性をアップしている。しかし、浸漬室カップ内の茶液のティーポット内への釈放を制御するスイッチシートは、全体のティーメーカーの外部に設けられ、上下と浸漬カップ及びティーポットの接続が露出しており、且つ内部に組み合わされた可動ロッド装置は、二つのディスク形座体が突き合わされて構成され、且つ可動ロッド装置は左右に横移動する方式で通水孔の開閉制御を行ない、平坦なストッパ部の通水孔に対する出水制御は、バルブの効果上、緊密な止水を行ないにくく、寸法を緊密に組み合わせたとしても、摩損率がより高くなる結果となり、確実に茶液をスイッチシート内に洩らさないようにできないので、菌が繁殖しやすい。
【０００４】
また、特許文献２は、本考案の前案であるが、構造上は、多くの優れた設計がなされているものの、浸漬装置内の茶液はバルブのバルブロッドの単一孔式出水孔をとおりティーポット内に排出され、出水孔は排気機能を必ず具備していなければならず、そうでなければ、茶液排出が不順調となる状況が発生する。且つバルブシートは浸漬装置とティーポットの結合を利用して組立を達成する必要があり、このため、組み立てられたティーメーカーは多くの茶液漏れ防止部品を具備していなければならず、茶液が外漏れする可能性が高くなる。このため構造に対して更なる創作と改良が必要である。
【先行技術文献】
【特許文献】
【０００５】
【特許文献１】台湾実用新案第Ｍ３６４４８４号
【特許文献２】台湾実用新案第Ｍ３８２０９０号
【考案の概要】
【考案が解決しようとする課題】
【０００６】
本考案の主要な目的は、一種の排気型ティーメーカーを提供することにあり、それは、ティーメーカー本体、バルブロッド装置、フィルタネット装置及び排気管を包含する。
該ティーメーカー本体の上下端の開口に取り外し可能な上蓋と下蓋が閉じ合わされ、ティーメーカー本体内の上下部に浸漬室と茶液室が形成され、且つ浸漬室と茶液室の間は間隔部で区画され、該間隔部の下端に、外界に連通するロッド受け溝が設けられ、側辺に管挿入座が設けられ、該ロッド受け溝の上下部にそれぞれ浸漬室と茶液室に連通する少なくとも一つの上貫通孔と下貫通孔が設けられ、且つ外界に連通する溝口端に取り付け溝孔が形成され、該管挿入座の浸漬室端に管挿入溝孔が設けられ、茶液室端に、管挿入溝孔に連通し、複数の通気孔を具えたビーズ収容室が設けられ、該ビーズ収容室にビーズが収容される。
該バルブロッド装置は、その主ロッド体が回転可能に該ロッド受け溝内に挿入され、操作部端は該ロッド受け溝外に延伸され、該取り付け溝孔部分は回転つまみと結合され、且つ主ロッド体上にロッド受け溝の上貫通孔と下貫通孔に対応して少なくとも一つの貫通孔が設けられる。
該フィルタネット装置は、浸漬室内部底端に設けられて、間隔部に係止されて茶滓を濾過するのに用いられ、管挿入座の管挿入溝孔に対応して管通し孔が設けられている。
該排気管は浸漬室内にあって、その一端がフィルタネット装置の管通し孔をとおり管挿入座の管挿入溝孔に組み合わされ、且つ管体内にビーズ止水部が設けられている。
【０００７】
本考案の次の目的は、一種の排気型ティーメーカーを提供することにあり、そのうち、該バルブロッド装置の主ロッド体端はロッド受け溝内に挿入され、操作部端は取り付け溝孔より延伸されて回転つまみと結合され、該操作部にさらに雄ネジを具えたナットが組み合わされ、且つ該ナットにシールリングが組み合わされて取り付け溝孔内に螺合され、溝孔蓋が取り付け溝孔の溝口外部に固定される。
【０００８】
本考案のさらに一つの目的は、一種の排気型ティーメーカーを提供することにあり、そのうち、該ティーメーカー本体の取り付け溝孔の外部のティーメーカー本体表面に凹環溝があり、該凹環溝の取り付け溝孔近い部分に複数の凸柱が設けられ、止滑ソフトスリーブは、その凹環溝の凸柱に対応して複数の係止孔が設けられ、並びに係止孔が凸柱に係合されて、止滑ソフトスリーブが凹環溝に嵌合固定され、且つ上述の該止滑ソフトスリーブの表面にさらに複数の止滑顆粒が設けられ、止滑顆粒が手指で把持された後に止滑変形し、良好な止滑効果を発生する。
【課題を解決するための手段】
【０００９】
請求項１の考案は、排気型ティーメーカーにおいて、ティーメーカー本体、バルブロッド装置、フィルタネット装置及び排気管を包含し、
該ティーメーカー本体の上下端の開口に取り外し可能な上蓋と下蓋が閉じ合わされ、ティーメーカー本体内の上下部に浸漬室と茶液室が形成され、且つ該浸漬室と該茶液室の間は間隔部で区画され、該間隔部の下端に、外界に連通するロッド受け溝が設けられ、側辺に管挿入座が設けられ、該ロッド受け溝の上下部にそれぞれ該浸漬室と該茶液室に連通する少なくとも一つの上貫通孔と下貫通孔が設けられ、且つ外界に連通する溝口端に取り付け溝孔が形成され、該管挿入座の浸漬室端に管挿入溝孔が設けられ、茶液室端に、該管挿入溝孔に連通し、複数の通気孔を具えたビーズ収容室が設けられ、該ビーズ収容室にビーズが収容され、
該バルブロッド装置は、その主ロッド体が回転可能な該ロッド受け溝内に挿入され、操作部端は該ロッド受け溝外に延伸され、該取り付け溝孔部分は回転つまみと結合され、且つ該主ロッド体上に該ロッド受け溝の上貫通孔と下貫通孔に対応して少なくとも一つの貫通孔が設けられ、
該フィルタネット装置は、該浸漬室内部底端に設けられて、該間隔部に係止されて茶滓を濾過するのに用いられ、該管挿入座の管挿入溝孔に対応して管通し孔が設けられ、
該排気管は該浸漬室内にあって、その一端が該フィルタネット装置の管通し孔をとおり該管挿入座の管挿入溝孔に組み合わされ、且つ管体内にビーズ止水部が設けられたことを特徴とする、排気型ティーメーカーとしている。
請求項２の考案は、請求項１記載の排気型ティーメーカーにおいて、該バルブロッド装置の主ロッド体端は該ロッド受け溝内に挿入され、操作部端は該取り付け溝孔より延伸されて回転つまみと結合され、該操作部にさらに雄ネジを具えたナットが組み合わされ、且つ該ナットにシールリングが組み合わされて該取り付け溝孔内に螺合され、溝孔蓋が該取り付け溝孔の溝口外部に固定されることを特徴とする、排気型ティーメーカーとしている。
請求項３の考案は、請求項１記載の排気型ティーメーカーにおいて、該ティーメーカー本体の取り付け溝孔の外部のティーメーカー本体表面に凹環溝があり、該凹環溝の取り付け溝孔近い部分に複数の凸柱が設けられ、止滑ソフトスリーブは、その凹環溝の凸柱に対応して複数の係止孔が設けられ、並びに係止孔が凸柱に係合されて、止滑ソフトスリーブが凹環溝に嵌合固定されることを特徴とする、排気型ティーメーカーとしている。
請求項４の考案は、請求項３記載の排気型ティーメーカーにおいて、該止滑ソフトスリーブの表面にさらに複数の止滑顆粒が設けられたことを特徴とする、排気型ティーメーカーとしている。
【考案の効果】
【００１０】
全体的に、ティーメーカー本体内が間隔部で区画されて浸漬室と茶液室が形成され、並びに該間隔部位置に、上下の貫通孔に連通するロッド受け溝が設けられ、及び、排気管が組み合わされて浸漬室と茶液室を連通させるのに供される管挿入座が設けられ、ロッド受け溝内に挿入されるバルブロッド装置が、バルブロッド装置の貫通孔が上下の貫通孔に対応させられるか位置をずらされる回転操作により、簡単に浸漬室内の茶液を茶液室に排出できるか逆流を阻止する制御のほか、茶液を茶液室内に排出する時に、空気を排気管に沿って浸漬室に到達させる排気機能を達成し、茶液室内に密室現象を形成させずに茶液をより順調に、よりスピーディーに茶液室内に排出し、保存或いは使用に供し、使用上さらに便利な効果をアップする。
【図面の簡単な説明】
【００１１】
【図１】本考案の立体分解表示図である。
【図２】本考案の組み合わせ断面図である。
【図３】本考案の排気管部分の断面構造図である。
【図４】本考案のロッド受け溝部分のバルブロッド装置を開いた時の断面図である。
【図５】本考案のロッド受け溝部分のバルブロッド装置を閉じた時の断面図である。
【図６】本考案のバルブロッド装置を閉じた時に茶の浸漬を行う状態の表示図である。
【図７】本考案のバルブロッド装置を閉じた時の茶の浸漬過程の状態表示図である。
【図８】本考案のバルブロッド装置を開けた時の茶液排出状態の表示図である。
【図９】本考案の茶液排出時の茶液室排気関係表示図である。
【図１０】本考案の茶液排出完成時のバルブロッド装置を新たに閉じた状態の表示図である。
【図１１】本考案のティーメーカー本体を倒立させた状態の表示図である。
【図１２】本考案のティーメーカー本体を倒立させた時にビーズが茶液逆流を阻止する状態の表示図である。
【図１３】本考案の茶液室内の茶液使用状態表示図である。
【考案を実施するための形態】
【００１２】
一種の排気型ティーメーカーは、図１、２、３、４に示されるように、ティーメーカー本体１０、バルブロッド装置２０、フィルタネット装置３０及び排気管４０を包含する。
【００１３】
該ティーメーカー本体１０の上下端の開口に取り外し可能な上蓋５０と下蓋６０が閉じ合わされ、ティーメーカー本体内の上下部に浸漬室１１と茶液室１２が形成され、且つ浸漬室１１と茶液室１２の間は間隔部１３で区画され、該間隔部１３の下端に、外界に連通するロッド受け溝１４が設けられ、側辺に管挿入座１５が設けられ、該ロッド受け溝１４の上下部にそれぞれ浸漬室１１と茶液室１２に連通する少なくとも一つの上貫通孔１６と下貫通孔１７が設けられ、且つ外界に連通する溝口端に、雌ネジを具えた取り付け溝孔１８が形成され、該管挿入座１５の浸漬室１１端に管挿入溝孔１５０が設けられ、茶液室１２端に、管挿入溝孔１５０に連通し、複数の通気孔１５１を具えたビーズ収容室１５２が設けられ、該ビーズ収容室１５２にビーズ７０が収容される。
【００１４】
該バルブロッド装置２０は、その主ロッド体端が回転可能に該ロッド受け溝１４内に挿入され、操作部２２端は該ロッド受け溝１４外に延伸され、該取り付け溝孔１８にある部分は回転つまみ８０と結合され、且つ主ロッド体２１上にロッド受け溝１４の上貫通孔１６と下貫通孔１７に対応して少なくとも一つの貫通孔２３が設けられる。
【００１５】
該フィルタネット装置３０は、浸漬室１１内部底端に設けられて、間隔部１３に係止されて茶滓を濾過するのに用いられ、管挿入座１５の管挿入溝孔１５０に対応して管通し孔３１が設けられている。
【００１６】
該排気管４０は浸漬室１１内にあって、その一端がフィルタネット装置３０の管通し孔３１をとおり管挿入座１５の管挿入溝孔１５０に組み合わされ、且つ管体内にビーズ止水部４１が設けられている。
【００１７】
図５、６のように、ティーメーカー本体１０外部の回転つまみ８０を回して、バルブロッド装置２０の主ロッド体２１の貫通孔２３を上下の貫通孔１６、１７と位置をずらすことで、茶液の通過を阻止した後、上蓋５０を開けて、茶葉９０を浸漬室１１に入れ、湯を注ぎ、図７のように、上蓋５０を戻し、茶葉を浸漬させる。
【００１８】
適当な浸漬時間の後、図４、８、９に示されるように、回転つまみ８０を回してバルブロッド装置２０を回し、主ロッド体２１の貫通孔２３を上下の貫通孔１６、１７に対応させて、上下の貫通孔１６、１７を開き、茶液室１２内の空気をビーズ収容室１５２の通気孔１５１部分より進入させ、排気管４０を通過させて浸漬室１１内に到達させ、こうして浸漬室１１内の茶液を相当に順調に、開いた上下の貫通孔１６、１７を通し貫通孔２３を通して茶液室１２内に排出させる。
【００１９】
図５、１０に示されるように、ただ回転つまみ８０の回転操作により、バルブロッド装置２０の貫通孔２３の位置を、上下の貫通孔１６、１７よりずらし、上下の貫通孔１６、１７を閉じて茶液の逆流を防止すると、浸漬室１１の開口を上蓋５０で閉じた状態で、図１１、１２に示されるように、ティーメーカー本体１０を傾けて、ビーズ収容室１５２内のビーズ７０を排気管４０のビーズ止水部４１に移動させて、茶液の排気管４０から浸漬室１１への逆流を防止し、こうして、図１３のように、下蓋６０を空けて、茶液室１２内の茶液を使用できる。
【００２０】
全体的に、図１、２、３、４に示されるように、ティーメーカー本体１０内が間隔部１３で区画されて浸漬室１１と茶液室１２が形成され、並びに該間隔部１３位置に、上下の貫通孔１６、１７に連通するロッド受け溝１４が設けられ、及び、排気管４０が組み合わされて浸漬室１１と茶液室１２を連通させるのに供される管挿入座１５が設けられ、ロッド受け溝１４内に挿入されるバルブロッド装置２０の貫通孔２３が、図４、５、６、８、１０、１１に示されるように、上下の貫通孔１６、１７と対応させられるか、位置をずらされる回転操作により、簡単に浸漬室１１内の茶液の茶液室１２への排出或いは逆流阻止の制御がなされるほか、図９に示されるように、茶液を茶液室１２内に排出する時に、空気を排気管４０に沿って浸漬室１１に到達させる排気機能を達成し、茶液室１２内に密室現象を形成させずに茶液をより順調に、よりスピーディーに茶液室１２内に排出し、保存或いは使用に供し、使用上さらに便利な効果をアップする。
【００２１】
上述の実施例に基づき、そのうち、図１、２、４に示されるように、該バルブロッド装置２０の主ロッド体２１端はロッド受け溝１４内に挿入され、操作部２２端は取り付け溝孔１８部分より延伸されて回転つまみ８０と結合され、該操作部２２にさらに雄ネジを具えたナット８１が組み合わされ、且つ該ナット８１にソフトゴムのシールリング８２が組み合わされて取り付け溝孔１８内に螺合され、溝孔蓋８３が取り付け溝孔１８の溝口外部に固定される。バルブロッド装置２０の操作部２２に回転つまみ８０が結合され、ナット８１、シールリング８２と溝孔蓋８３がバルブロッド装置２０の操作部２２端にシールされて組み合わされ、並びに取り付け溝孔１８が閉じられることで、図１１のように、有効に茶液室１２内の茶液が取り付け溝孔１８部分より漏れる状況が防止される。
【００２２】
上述の実施例に基づき、そのうち、図１、２に示されるように、該ティーメーカー本体１０の取り付け溝孔１８の外部表面にさらに凹環溝１９が設けられ、該凹環溝１９の取り付け溝孔１８に近い部分に複数の凸柱１９０が設けられる。止滑ソフトスリーブ１００は、該凹環溝１９の凸柱１９０に対応して複数の係止孔１０１が設けられ、並びに係止孔１０１が凸柱１９０に係合されて、止滑ソフトスリーブ１００が凹環溝１９に組み合わされ固定される。該止滑ソフトスリーブ１００が握られて変形する止滑作用により、ティーメーカー本体１０の握持或いは操作において止滑の効果を得られる。且つ上述の該止滑ソフトスリーブ１００の表面にさらに複数の止滑顆粒１０２が設けられ、止滑顆粒１０２が手指で把持された後に止滑変形し、良好な止滑効果を発生する。
【００２３】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００２４】
１０  ティーメーカー本体            １００  止滑ソフトスリーブ
１０１  係止孔                      １０２  止滑顆粒
１１  浸漬室                        １２  茶液室
１３  間隔部                        １４  ロッド受け溝
１５  管挿入座                      １５０  管挿入溝孔
１５１  通気孔                      １５２  ビーズ収容室
１６  上貫通孔                      １７  下貫通孔
１８  取り付け溝孔                  １９  凹環溝
１９０  凸柱                        ２０  バルブロッド装置
２１  主ロッド体                    ２２  操作部
２３  貫通孔                        ３０  フィルタネット装置
３１  管通し孔                      ４０  排気管
４１  ビーズ止水部                  ５０  上蓋
６０  下蓋                          ７０  ビーズ
８０  回転つまみ                    ８１  ナット
８２  シールリング                  ８３  溝孔蓋
９０  茶葉
【図１】
0003177960.tif 000003
【図２】
0003177960.tif 000004
【図３】
0003177960.tif 000005
【図４】
0003177960.tif 000006
【図５】
0003177960.tif 000007
【図６】
0003177960.tif 000008
【図７】
0003177960.tif 000009
【図８】
0003177960.tif 000010
【図９】
0003177960.tif 000011
【図１０】
0003177960.tif 000012
【図１１】
0003177960.tif 000013
【図１２】
0003177960.tif 000014
【図１３】
0003177960.tif 000015